(57)【要約】【課題】  取り扱いが容易で、紛失の危険性のなく、スノーボードの使用時に邪魔にならないスノーボード用ストッパーを提供する。【解決手段】  本発明のスノーボード用ストッパーＡは、スノーボードの上面に固定される平板状の固定部１と、この固定部１の上に重ねて配置されると共に使用者が一端を引き上げることのできる平板状の操作部２と、固定部１と操作部２とに対して可動可能に連結されており操作部２の前記一端を引き上げた時に操作部２が固定部１から離れて略直角に回転起立させる連結部３とを有し、操作部２の前記一端の反対側の他端には、前記スノーボードの前記上面から雪面に向かって垂下する４個の爪部４が設けてある。【選択図】図１
2019103766.tif 000002
【特許請求の範囲】
【請求項１】
スノーボードの上面に固定される平板状の固定部と、この固定部の上に重ねて配置されると共に使用者が一端を引き上げることのできる平板状の操作部と、前記固定部と前記操作部とに対して可動可能に連結されており前記操作部の前記一端を引き上げた時に前記操作部が前記固定部から離れて略直角に回転起立させる連結部とを有し、前記操作部の前記一端の反対側の他端には、前記スノーボードの前記上面から雪面に向かって垂下する複数の爪部を有することを特徴とするスノーボード用ストッパー。
【請求項２】
前記スノーボード用ストッパーは、前記スノーボードの左右脚用バインディングの間に位置することを特徴とする請求項１に記載したスノーボード用ストッパー。
【発明の詳細な説明】
【技術分野】
【０００１】  本発明は、スノーボードが不用意に滑らないようにするストッパーに関するものである。
【背景技術】
【０００２】  スノーボードでバインディングを装着する際、少しの傾斜でもスノーボードが滑り出してしまい装着しづらく、反対に、完全な水平な場所でバインディングを装着した後、直ぐに滑り出すことが困難であり、更に、雪面に座ってバインディングを装着すると、使用者の身体が不必要に冷えてしまい、しかも、両脚が固定された無理な体制で起き上がらなければならず、無駄な体力を消耗することとなっていた。【０００３】  従来、スノーボードが不用意に滑らないような付属部材が知られている（例えば、特許文献１参照）。【０００４】  斯かる付属部材は、スノーボードの幅方向に掛け渡し可能な装着ベルト部と、該装着ベルト部の底面側に配設され、スノーボードの長手方向の滑りに対して抵抗となる凸状体を配した滑り止め部とから構成されている。
【先行技術文献】
【特許文献】
【０００５】
【特許文献１】特開平１０−２７２２１８号公報
【発明の概要】
【発明が解決しようとする課題】
【０００６】  斯かる付属部材は、スノーボードの使用時には、使用者がスノーボードから外して所持する必要があるため、取り扱いが煩わしく、紛失の危険性もあった。【０００７】  本発明は、このような従来の構成が有していた課題を解決しようとするものであり、取り扱いが容易で、紛失の危険性のないスノーボード用ストッパーを実現することを目的とするものである。
【課題を解決するための手段】
【０００８】  本発明のスノーボード用ストッパーは、スノーボードの上面に固定される平板状の固定部と、この固定部の上に重ねて配置されると共に使用者が一端を引き上げることのできる平板状の操作部と、前記固定部と前記操作部とに対して可動可能に連結されており前記操作部の前記一端を引き上げた時に前記操作部が前記固定部から離れて略直角に回転起立させる連結部とを有し、前記操作部の前記一端の反対側の他端には、前記スノーボードの前記上面から雪面に向かって垂下する複数の爪部を有するものである。【０００９】  また、本発明のスノーボード用ストッパーは、前記スノーボードの左右脚用バインディングの間に位置するものである。
【発明の効果】
【００１０】  本発明のスノーボード用ストッパーは、スノーボードに常時設置する構成であるため、装着や脱着の手間を必要としないことから、取り扱いが容易で、紛失の危険性のないものである。【００１１】  また、前記スノーボードの左右脚用ビンディングの間に位置するものであるため、スノーボードの使用時に邪魔になることもなく、デッキパッドとして使うことができる。
【図面の簡単な説明】
【００１２】
【図１】  本発明の実施形態を示す斜視図である。
【図２】  同上の形態変化を説明する説明図である。
【図３】  同上の使用方法を説明する説明図である。
【図４】  本発明の他の実施形態を示す展開平面図である。
【発明を実施するための形態】
【００１３】  以下、本発明の実施形態を添付図面に基づいて説明する。
【００１４】  本発明の実施形態に係る図１〜図３において、スノーボード用ストッパーＡは、スノーボードＢの上面に固定される平板状の固定部１と、この固定部１の上に重ねて配置されると共に使用者が一端（図２（ｂ）の点線円個所）を引き上げることのできる平板状の操作部２と、固定部１と操作部２とに対して可動可能に連結されており操作部２の前記一端を引き上げた時に操作部２が固定部１から離れて略直角に回転起立させる連結部３とを有し、操作部２の前記一端の反対側の他端には、スノーボードＢの前記上面から雪面に向かって垂下する櫛歯状の４個の爪部４が設けてある。
【００１５】  スノーボード用ストッパーＡは、剛性および柔軟性を有する樹脂を素材とし、固定部１と連結部３および操作部２と連結部３は、図１の点線で示す位置に図示しない金属製シャフトで軸支されている。
【００１６】  斯かるストッパーＡは、スノーボードＢの左右脚用バインディングＣの間に位置するようにスノーボードＢの上面に粘着剤にて固定されている。
【００１７】  なお、固定部１と操作部２とを積層状態で折り畳んだ状態で、スノーボードＢによる滑降時に固定部１と操作部２とが離れないようにする目的で、固定部１および操作部２の対面個所に保持部として固定部１側に雄スナップボタン５、操作部２側に雌スナップボタン６（後述する図４参照）を設けることは有効である。
【００１８】  図２（ａ）〜（ｄ）は、ストッパーＡの形態変化を示しており、図２（ａ）は、ストッパーＡの非使用時であってスノーボードＢで一般に使用されているデッキパッド（例えば、特開２００２−７８９号公報参照）として使用する時、同（ｂ）は、前記一端を持って操作部２を起こした時、同（Ｃ）は、操作部２の展開途中時、同（ｄ）は、展開完了時であって操作部２の爪部４が雪面に刺さることでスノーボードＢが勝手に滑らない機能を発揮する時で、操作部２は連結部３により位置が保持されてスノーボードＢ側へ倒れない。
【００１９】  図３（ａ）〜（ｆ）は、ストッパーＡの使用方法を示しており、リフトに乗る時などのスノーボードＢの非滑降時には片脚、例えば左脚をバインディングＣから離して雪面を蹴りながら進行し、ストッパーＡをデッキパッドとして使うことができ、図３（ａ）ではリフトから降りた時に安全な場所で滑降準備をしている時、同（ｂ）は、ストッパーＡから脚をずらして操作部２を起こす時、同（ｃ）は、操作部２を起立させて爪部４を雪面に刺した時、同（ｄ）は、左脚をバインディングＣに装着する時、同（ｅ）は、バインディング装着完了後に爪部４を雪面から抜く時、同（ｆ）は、操作部２を固定部１に積層した滑降開始時を示している。
【００２０】  図４は、ストッパーＡを展開した状態の平面図にて本発明の他の実施形態を示しており、操作部２の固定部１と対向する面には、前述した保持部として固定部１の雄スナップボタン５に係合される雌ボタン６が設けてあることは前記実施形態と同様であるが、この実施形態は、固定部１または操作部２の対向面に脱着可能な小型のブラシ７を装着している点で前記実施形態と異なるものである。
【００２１】  このブラシ７は、固定部１と操作部２とを積層状態で折り畳んだ状態となるように固定部１または操作部２の対向面に図示しない窪みを設けて配置されており（図４では操作部２の固定部１と対向する面に装着している）、スナップボタン５、６の嵌合部に雪がついて連結不能となった場合に雪を掻き出し、あるいは、バインディングＣに付着した雪を払うことができるものである。
【００２２】  本発明のストッパーＡによれば、雪面にスノーボードＢを固定できるため、安定した状態で滑降準備作業が可能となり、例えば、リフトを降りてから滑走に移行するまでの動作を不自由なく行うことができ、操作が簡単で、確実に制動をかけられ、滑走時に支障とならず、従来技術のような装着や脱着の手間を必要としないことから、取り扱いが容易で、紛失の危険性のないものである。
【００２３】  また、スノーボードＢの左右脚用バインディングＣの間に位置するものであるため、スノーボードＢの使用時に邪魔になることもなく、滑降運動へ支障を及ぼさないものであると共に、デッキパッドとして使うことができる。
【符号の説明】
【００２４】Ａ  スノーボード用ストッパー
１  固定部
２  操作部
３  連結部
４  爪部
５  雄スナップボタン（保持部）
６  雌スナップボタン（保持部）
７  ブラシ
Ｂ  スノーボード
Ｃ  バインディング
【図１】
2019103766.tif 000003
【図２】
2019103766.tif 000004
【図３】
2019103766.tif 000005
【図４】
2019103766.tif 000006